(57)【要約】【課題】２つの半体で竪樋を開閉自在に抱持して支持する堅樋支持具において、簡単に外れないように竪樋の締付強度を高める一方、組み付け作業を熟練度に関係なく簡単にする。【解決手段】固定部半体１５は、その内周面１６から押圧突起２５を突設し、他側の自由端２０ｂの外側に係止凸部３０を突設する一方、締付部半体２０は、他側の自由端２０ｂに係止穴３５を設け、係止穴３５に締付部半体２０の自由端２０ｂの内側から係止凸部３０を係止すると、押圧突起２５が抱持した丸樋Ｔを介して締付部半体１５を押圧し係止凸部３０と係止穴３５とを常にガタなく係着して竪樋を抱き締め状態で保持する。【選択図】          図１
2016003506.tif 000002
【特許請求の範囲】
【請求項１】
建物の壁体に固設する支持部材の先端に固着する固定部半体と、該固定部半体の一側の回転端にヒンジを介して片側の回転端を枢着した締付部半体とを備え、前記半体双方の他側の自由端には互いに係止する係止部を有する竪樋支持具であって、
前記固定部半体は、その内周面から押圧突起を突設し、他側の自由端の外側に一方の前記係止部として係止凸部を突設する一方、前記締付部半体は、他側の自由端に他方の前記係止部として係止穴を設け、
該係止穴に前記締付部半体の自由端の内側から前記係止凸部を係止すると、前記押当突起が抱持した竪樋を介して前記締付部半体を押圧し前記係止凸部と前記係止穴とをガタなく係着して竪樋を常に抱き締め状態で保持してなることを特徴とする、堅樋支持具。
【請求項２】
前記固定部半体は、前記係止凸部を、頭部が丸みもった皿形の軸部が短尺な丸皿リベット形状に形成し、前記頭部を外側に向けて他側の自由端に突設してなることを特徴とする、請求項１に記載の堅樋支持具。
【発明の詳細な説明】
【技術分野】
【０００１】
本発明は、一般住宅やビルなどの建物の壁体に取り付けた堅樋を抱持して支持する堅樋支持具に関する。
【背景技術】
【０００２】
従来、この種の堅樋支持具の中には、竪樋を抱持するように支持すべく、壁面等に固定する固定具の前方に連結した半円状の固定部半体と、固定部半体の一側端に基端をヒンジを介して枢支した締付部半体と、この締付部半体の閉鎖状態を維持する保持手段を備えたものがよく知られている（例えば、特許文献１参照）。この堅樋支持具は、固定部半体の両端に、堅樋の周面に係止可能な弾性片を延設し、その弾性片によって堅樋を仮支持している。
【０００３】
ところで、この堅樋支持具は、堅樋を仮支持するために弾性片を設ける点に特徴があるが、その仮支持後にも継続して堅樋を抱持して支持するための保持手段については不十分である。即ち、堅樋を閉鎖するには、締付部半体を閉止方向に回動して、この締付部半体に形成した嵌合部を、固定部半体の他側端に形成した環状部に係止することによって、締付部半体の閉鎖状態を維持するものであった。
【先行技術文献】
【特許文献】
【０００４】
【特許文献１】実用新案登録第２５５４９５４号公報
【発明の概要】
【発明が解決しようとする課題】
【０００５】
しかし、堅樋は、仮支持後に風雨に晒されるなどの過酷な条件下に設置されることが多く、この堅樋を支持する従来の堅樋支持具にも様々な荷重が負荷されるため、特に、大型化された堅樋での保持手段では、外れてしまう危険があるという問題があった。
【０００６】
更に、支持具の強度を増す必要が生ずるため、竪樋と一体に支持すると、支持具の凹凸と竪樋接続部の凹凸形状が目立ち、外観が良くないという問題があった。
【０００７】
加えて、従来、前記保持手段による締付部半体の閉鎖状態を確実に維持するには、例えばボルト、ナットで確実に固定するという手段も考えられるが、これでは、職人の熟練度に応じて保持手段を施すのに手間取り作業性が良くないいという問題がある。
【０００８】
本発明の目的は、２つの半体で竪樋を開閉自在に抱持して支持する堅樋支持具において、簡単に外れないように竪樋の締付強度を高める一方、組み付け作業完了時には、竪樋と支持具は、係止凸部の凸部を有するのみで目立たなくなっており、一体的に見えるヒンジ部を介し、係止凸部と係止穴により常にガタなく係着され、意匠上の美観を損なわない。更に、組み付け作業を熟練度に関係なく簡単にすることにある。
【課題を解決するための手段】
【０００９】
請求項１に記載の発明は、たとえば以下に示す図示実施の形態のとおり、建物の壁体に固設する支持部材１０の先端に固着する固定部半体１５と、該固定部半体１５の一側の回転端１５ａにヒンジｈを介して片側の回転端２０ａを枢着した締付部半体２０とを備え、前記半体双方の他側の自由端１５ｂ・２０ｂには互いに係止する係止部を有する竪樋支持具Ａであって、前記固定部半体１５は、その内周面１６から押圧突起２５を突設し、他側の自由端２０ｂの外側に一方の前記係止部として係止凸部３０を突設する一方、前記締付部半体２０は、他側の自由端２０ｂに他方の前記係止部として係止穴３５を設け、該係止穴３５に前記締付部半体２０の自由端２０ｂの内側から前記係止凸部３０を係止すると、前記押圧突起２５が抱持した竪樋を介して前記締付部半体１５を押圧し前記係止凸部３０と前記係止穴３５とを常にガタなく係着して竪樋を抱き締め状態で保持してなることを特徴とする。
【００１０】
請求項２に記載の発明は、請求項１に記載の竪樋支持具Ａにおいて、たとえば以下に示す図示実施の形態のとおり、前記固定部半体１５は、前記係止凸部３０を、頭部３０ａが丸みをもった皿形の軸部３０ｂが短尺な丸皿リベット形状に形成し、前記頭部３０ａを外側に向けて他側の自由端１５ｂに突設してなることを特徴とする。
【発明の効果】
【００１１】
請求項１に記載の発明によれば、竪樋支持具は、係止穴に締付部半体の自由端の内側から固定部半体の係止凸部を係止すると、押圧突起が抱持した竪樋を介して締付部半体を押すことにより係止凸部と係止穴とを常にガタなく係着して竪樋を抱き締め状態で保持する構成であるから、経時に締め付けが緩むことがなく、簡単に外れないように固く抱持する竪樋の締付強度を高めることができ、また、組み付け作業を熟練度に関係なく簡単にすることができる。
【００１２】
請求項２に記載の発明によれば、固定部半体は、係止凸部を、頭部が丸みをもった皿形の軸部が短尺な丸皿リベット形状に形成し、頭部を外側に向けて他側の自由端に突設する構成だから、締付部半体の自由端が皿形の頭部の丸味に沿ってスムーズにスライドし、そのまま係止凸部が滑り込むように係止穴に内側から入り込んで簡単に係止することができる。
【図面の簡単な説明】
【００１３】
【図１】本発明の一例である堅樋支持具を係止部の係止解除状態で示す斜視図である。
【図２】竪樋支持具を、係止部の係止状態で竪樋を断面にして示す平面図である。
【図３】図１と同じ竪樋支持具を向きを変えて示す斜視図である。
【図４】竪樋支持具を係止部の係止解除状態で示す平面図である。
【図５】竪樋支持具の係止部の係止動作状態を（ａ）（ｂ）（ｃ）と段階を追って示す横断面図である。
【発明を実施するための形態】
【００１４】
以下、図面を参照しつつ、本発明の実施の形態について説明する。
【００１５】
図１は、本発明の一実施例である堅樋支持具を係止部の係止解除状態で示し、図２は竪樋支持具を係止部の係止状態で示し、図３は図１と同じ竪樋支持具を向きを変えて示し、図４は竪樋支持具を係止部の係止解除状態で示す。
【００１６】
図示例の堅樋支持具Ａは、建物の壁体に固設する支持部材１０の先端に固着する半円状の固定部半体１５と、固定部半体１５の一側の回転端１５ａにヒンジｈを介して片側の回転端２０ａを枢着して開閉自在とする半円状の締付部半体２０とを備え、丸樋Ｔを抱持して支持する開閉型の竪樋支持具である。
【００１７】
この開閉型の堅樋支持具Ａでは、固定部半体１５と締付部半体２０の半体双方の他側の自由端１５ｂ・２０ｂに互いに係止する係止部を有し、固定部半体１５は、内周面１６に押圧突起２５を内向きに突設し、他側の自由端１５ｂの外側に一方の係止部として係止凸部３０を外向きに突設する一方、締付部半体２０は、他側の自由端２０ｂに他方の係止部として係止穴３５を設け、係止穴３５に締付部半体２０の自由端２０ｂの内側から係止凸部３０を係止すると、押圧突起２５が抱持した丸樋Ｔを介して締付部半体２０を押圧し係止凸部３０と係止穴３５とをガタなく係着して丸樋Ｔを常に抱き締め状態で保持する点に特徴がある。
【００１８】
そこで、堅樋支持具Ａにおいて、支持部材１０は、図示例のような釘杆状に形成された打込み式の他、壁等からの出具合を調節可能なスライド式のものなど、その構造には限定されない。
【００１９】
固定部半体１５は、ポリプロピレン等の合成樹脂を素材として射出成型樹脂又は金属から成る材質により、帯板を略半円状に一体に成形し、一側の回転端１５ａにヒンジｈを介して片側の回転端２０ａを枢着して締付部半体２０を開閉自在に連結する。中央板部１５ｃの他側の自由端２０ｂには、一方の係止部として係止凸部３０を設ける。
【００２０】
中央板部１５ｃには、それを中心として一側の袖板部１７の内周面１６と他側の袖板部１８の内周面１６に対称位置に一対の押圧突起２５・２５を突設する。この中央板部１５ｃには、固定部半体１５を、建物の外壁等の壁体に固定するために支持部材１０の先端部１０ａを固着する。
【００２１】
固定部半体１５において、図３に示すように、中央板部１５ｃの他側の自由端１５ｂは、袖板部１８の端縁に矩形な舌片状に凸設し、その自由端２０ｂの外側に一方の係止部として係止凸部３０を付設する。係止凸部３０は、図４および図５（ａ）に示すように、
頭部３０ａが丸みをもった皿形の軸部３０ｂが短尺な丸皿リベット形状をなし、頭部３０ａを外側に突出させて舌片状の自由端１５ｂに軸部３０ｂをカシメて付設する。
【００２２】
一方、締付部半体２０は、ポリプロピレン等の合成樹脂を素材として射出成型樹脂又は金属から成る材質により、帯板を略半円状に一体に成形し、他側の自由端２０ｂに他方の係止部として丸穴の係止穴３５を設け、自由端２０ｂの先端縁が丸みをもった円弧状に形成する。
【００２３】
そこで、締付部半体２０は、片側の回転端２０ａを固定部半体１５の一側の回転端１５ａにヒンジｈを介して枢着して固定部半体１５に開閉自在に連結し、以って、竪樋支持具Ａを組み立てる。
【００２４】
さて、上述した構成の図示竪樋支持具Ａでは、支持部材１０を打込みにより予め壁体に固定した固定部半体１５に、図１および図４に示すように、丸樋Ｔを嵌め合わせてから、締付部半体２０をヒンジｈを中心に回転し、図５（ａ）に示すように、他側の自由端２０ｂを固定部半体１５の自由端１５ｂの外側に重ねて、締付部半体２０の自由端１５ｂに有する係止穴３５に締付部半体２０の自由端２０ｂの内側から、同図（ｂ）に示すように係止凸部３０を係止する。すると、図示竪樋支持具Ａでは、図２に示すように、押圧突起２５が、抱持した丸樋Ｔを介して締付部半体２０を押圧し、図５（ｃ）に示すように、係止凸部３０と係止穴３５とをガタなく係着して丸樋Ｔを常に抱き締め状態で保持する。
【００２５】
従って、図示竪樋支持具Ａでは、係止穴３５に締付部半体２０の自由端２０ｂの内側から固定部半体１５の係止凸部３０を係止すると、押圧突起２５が抱持した丸樋Ｔを介して締付部半体２０を押すことにより係止凸部３０と係止穴３５とを常にガタなく係着して丸樋Ｔを抱き締め状態で保持する構成であるから、経時に締め付けが緩むことがなく、簡単に外れないように固く抱持する丸樋の締付強度を高めることができ、組み付け作業完了時には、丸樋Ｔと竪樋支持具Ａは、係止凸部３０の凸部を有するのみで目立たなくなっており、一体的に見えるヒンジｈ部を介し、係止凸部３０と係止穴３５により常にガタなく係着され、意匠上の美観を損なわない。また、組み付け作業を熟練度に関係なく簡単にすることができる。
【００２６】
しかも、図示竪樋支持具Ａでは、固定部半体１５は、係止凸部３０を、頭部３０ａが丸みをもった皿形の軸部３０ｂが短尺な丸皿リベット形状に形成し、頭部３０ａを外側に向けて他側の自由端１５ｂに突設する構成だから、図５に示すように、締付部半体２０の自由端２０ｂが皿形の頭部３０ａの丸味に沿ってスムーズにスライドし、そのまま係止凸部３０が滑り込むように係止穴３５に内側から入り込んで簡単に係止することができる。
【００２７】
なお、上記図示実施例において、固定部半体１５および締付部半体２０は、半円状に形成したものを例示したが、堅樋の形状に応じて適宜選択されるものであり、上記図示実施例の形状に限定されるものではない。
【符号の説明】
【００２８】
Ａ                堅樋支持具
Ｔ                丸樋（竪樋）
ｈ                ヒンジ
１０              支持部材
１５              固定部半体
１５ａ・２０ａ    回転端
１５ｂ・２０ｂ    自由端
２０              締付部半体
２５              押圧突起
３０              係止凸部
３５              係止穴
【図１】
2016003506.tif 000003
【図２】
2016003506.tif 000004
【図３】
2016003506.tif 000005
【図４】
2016003506.tif 000006
【図５】
2016003506.tif 000007